(57)【要約】      （修正有）【課題】保護外被を変形し易い構造とし、長尺スイッチの高感度のスイッチ応答性を実現でき、大型構造に適するエッジスイッチを提供する。【解決手段】エッジスイッチ１は、長尺の上部電極４、下部電極４を上下対向配置し、これらの外周を弾性絶縁材からなる外被７で覆った長尺スイッチ２０を全長にわたって支持するとともに、両側に各々長さ方向に沿って係合凹部１２ａ、１２ｂを設けた長尺の支持体２と、長尺スイッチ２０に外方から作用する外力Ｆを伝達し内部にＶ状梁部１５を備えた長尺の保護外被３と、この保護外被３の両側下部に設けられ各係合凹部１２ａ、１２ｂに各々移動可能に係合させた保護外被３の長尺スイッチ２０側への移動を補助する長尺の補助片１７ａ、１７ｂと、を有する。【選択図】図３
0003131872.tif 000002
【実用新案登録請求の範囲】
【請求項１】
長尺の上部電極、下部電極を上下対向配置し、これらの外周を弾性絶縁材からなる外被で覆った長尺スイッチを全長にわたって支持するとともに、両側に各々長さ方向に沿って係合凹部を設けた長尺の支持体と、
前記支持体上で長さ方向に配置した弾性材からなる保護外被であって、外方から作用する外力を長尺スイッチに伝達する長尺の外力受部と、この外力受部の両側下部に設けられ前記各係合凹部に各々係合させた補助片と、を具備する保護外被と、
を有することを特徴とするエッジスイッチ。
【請求項２】
長尺の上部電極、下部電極を上下対向配置し、これらの外周を弾性絶縁材からなり外被で覆った長尺スイッチを全長にわたって支持するとともに、両側に各々長さ方向に沿って係合凹部を設けた長尺の支持体と、
前記支持体上で長さ方向に配置した弾性材からなる保護外被であって、前記長尺スイッチに外方から作用する外力を伝達し内部に前記長尺スイッチに臨ませたＶ状梁部を備えた長尺の外力受部と、この外力受部の両側下部に設けられ前記各係合凹部に各々係合させた移動補助片と、を具備する保護外被と、
を有することを特徴とするエッジスイッチ。
【請求項３】
長尺の上部電極、下部電極を上下対向配置し、これらの外周を弾性絶縁材からなる外被で覆った長尺スイッチを全長にわたって支持するとともに、両側に各々長さ方向に沿って係合凹部を設けた長尺の支持体と、
前記支持体上で長さ方向に配置した弾性材からなる保護外被であって、外方から作用する外力を長尺スイッチに伝達する長尺の外力受部と、この外力受部の両側下部に設けられ前記各係合凹部に各々移動可能に係合させた前記外力受部の長尺スイッチ側への移動を補助する長尺の補助片と、を具備する保護外被と、
を有することを特徴とするエッジスイッチ。
【請求項４】
長尺の上部電極、下部電極を上下対向配置し、これらの外周を弾性絶縁材からなり外被で覆った長尺スイッチを全長にわたって支持するとともに、両側に各々長さ方向に沿って係合凹部を設けた長尺の支持体と、
前記支持体上で長さ方向に配置した弾性材からなる保護外被であって、前記長尺スイッチに外方から作用する外力を伝達し内部に前記長尺スイッチに臨ませたＶ状梁部を備えた長尺の外力受部と、この外力受部の両側下部に設けられ前記各係合凹部に各々移動可能に係合させた前記外力受部の長尺スイッチ側への移動を補助する長尺の補助片と、を具備する保護外被と、
を有することを特徴とするエッジスイッチ。
【請求項５】
長尺の上部電極、下部電極を上下対向配置し、これらの外周を弾性絶縁材からなり外被で覆った長尺スイッチを全長にわたって支持するとともに、両側に各々長さ方向に沿って、且つ、側方に開口させた係合凹部を設けた長尺の支持体と、
前記支持体上で長さ方向に配置した弾性材からなる保護外被であって、前記長尺スイッチに外方から作用する外力を伝達し内部に前記長尺スイッチに臨ませたＶ状梁部を備えた長尺の外力受部と、この外力受部の両側下部に設けられて前記各係合凹部に対して、各々側方に係合させた長尺の補助片と、を具備する保護外被と、
を有することを特徴とするエッジスイッチ。
【請求項６】
長尺の上部電極、下部電極を上下対向配置し、これらの外周を弾性絶縁材からなり外被で覆った長尺スイッチを全長にわたって支持するとともに、両側に各々長さ方向に沿って、且つ、側方に開口させた係合凹部を設けた長尺の支持体と、
前記支持体上で長さ方向に配置した弾性材からなる保護外被であって、前記長尺スイッチに外方から作用する外力を伝達し内部に前記長尺スイッチに臨ませたＶ状梁部を備えた長尺の外力受部と、この外力受部の両側下部に設けられ前記各係合凹部に対して、各々側方に移動可能に係合させた前記外力受部の長尺スイッチ側への移動に応じて各係合凹部内を側方向に移動し前記外力受部の移動を補助する長尺の移動補助片と、を具備する保護外被と、
を有することを特徴とするエッジスイッチ。
【請求項７】
長尺の上部電極、下部電極を上下対向配置し、これらの外周を弾性絶縁材からなり外被で覆った長尺スイッチを全長にわたって支持するとともに、両側に各々長さ方向に沿って、且つ、上方に開口させた係合凹部を設けた長尺の支持体と、
前記支持体上で長さ方向に配置した弾性材からなる保護外被であって、前記長尺スイッチに外方から作用する外力を伝達し内部に前記長尺スイッチに臨ませたＶ状梁部を備えた長尺の外力受部と、この外力受部の両側下部に設けられ前記各係合凹部に対して、各々上下方向に移動可能に係合させた前記外力受部の長尺スイッチ側への移動に応じて各係合凹部内を下方に移動し前記外力受部の移動を補助する長尺の移動補助片と、を具備する保護外被と、
を有することを特徴とするエッジスイッチ。
【考案の詳細な説明】
【技術分野】
【０００１】
本考案は、長尺スイッチを保護外被に内蔵したエッジスイッチに関し、詳しくは、保護外被を長尺スイッチ側に移動し易くし感度向上を図ったエッジスイッチに関するものである。
【背景技術】
【０００２】
従来、長尺の上部電極、下部電極を中間枠部材を挟んで上下対向配置するとともに、これらの外周を、弾性を有する外被で覆った長尺スイッチを、外力を受ける保護外被で被覆したエッジスイッチが種々提案されている。
【０００３】
従来の長尺スイッチ５０を内蔵したエッジスイッチ６０について図９を参照して説明する。
【０００４】
このエッジスイッチ６０は、長尺スイッチ５０を収納する長穴状の収納空間６２を長さ方向に設け、更に、その下部において幅方向に向け、且つ、長さ方向に沿って対称配置に突設した受溝６４ａ、６４ｂを有する一対の係合脚部６３ａ、６３ｂを具備する弾性材からな上部弾性体６１と、この上部弾性体６１の下側において前記受溝６４ａ、６４ｂに対して対称形状の係合突片６６ａ、６６ｂを係合させることで接合配置したアルミニューム材等からなる下部保持体６５と、前記上部弾性体６１、下部保持体６５の端部を覆うエンドキャップ６７とを有し、比較的小型な構成としている。
【０００５】
このエッジスイッチ６０の場合、長尺スイッチ５０を収納空間６２内に内蔵した構成であり、このエッジスイッチ６０における上部弾性体６１の上片６１ａに対して外力Ｆが作用した場合、上部弾性体６１の側壁６１ｂを変形させて上片６１ａを撓ませ、前記外力Ｆを長尺スイッチ５０に伝達しなければならず、このため、高感度なエッジスイッチ６０を得ることは難しかった。また、図９に示すエッジスイッチ６０の場合、内蔵されるスイッチを一回り大きい外被に通す構造のものであることから、これを大型のものにすることは不可能であった。
【０００６】
図１０は従来の他例のエッジスイッチ７０を示すもので、このエッジスイッチ７０は、基本的構造は前記エッジスイッチ６０と略同様であるため、同一要素には同一符号を付して示す。
【０００７】
図１０に示すエッジスイッチ７０の場合、前記上部弾性体６１に替えて全高Ｈの大きい弾性材からなる上部弾性体６１Ａを用いたものであり、スイッチオン後のストロークを大きくとりたい用途に用いるものである。
このエッジスイッチ７０の場合、前記エッジスイッチ６０と同様の問題があり、またスイッチオン後のストロークは大きいものの、上部弾性体６１Ａに対して真上ではなく斜め方向から外力Ｆが作用した場合のスイッチ感度は十分ではない。また、このエッジスイッチ７０の場合、これを大型構造に形成してスイッチを上部に通すと、斜め方向の感度が落ちるか、或いは全くオンしないという問題がある。
【０００８】
図１１は従来の更に別のエッジスイッチ８０を示すものであり、このエッジスイッチ８０は、長尺スイッチ５０を収納した長尺の収納空間８２を有する弾性材からなる下部保護外被８１と、この下部保護外被８１の上部に設けた外力受部８４及び前記長尺スイッチ５０に外力Ｆを伝達するＶ状の梁部８５を設けた弾性材からなる上部保護外被８３と、上部保護外被８３の両側辺に配置した取り付け用の脚部８４ａ、８４ｂとを有し、比較的大型な構成としている。
【０００９】
このエッジスイッチ８０の場合、上部保護外被８３に対して斜め方向から外力Ｆが作用した場合でも、前記Ｖ状の梁部８５を介して下部保護外被８１内の長尺スイッチ５０に外力Ｆを伝達してオンさせることは可能であるものの、既述したエッジスイッチ６０と同様に、高感度に構成することは難しかった。また、このエッジスイッチ８０の場合、これを大型構造にして、斜め方向のからの外力Ｆを検知させるためには、前記Ｖ状の梁部８５の構成を取って収納空間８２の中にスイッチを通すことが必要であるが、このような構造のエッジスイッチをオンさせるためには、取り付け用の脚部８４ａ、８４ｂに加えて収納空間８２の側壁も変形させなければならず、このことから、感度を高くすることができなかった。
【００１０】
特許文献１には、長尺の上部導体と下部導体とを上下配置に間隔をもって配置し、上部導体、下部導体間に復帰ばねを介在させ、更に、上部導体、下部導体の周りを頂面が円形曲面を呈する絶縁部材により覆った長尺スイッチが提案されている。
【００１１】
しかし、この特許文献１の長尺スイッチの場合も、上部導体、下部導体を絶縁部材、すなわち、保護外被内に直接収納した構成であった。
【特許文献１】特開２００１−２１０１７７号公報
【考案の開示】
【考案が解決しようとする課題】
【００１２】
本考案が解決しようとする問題点は、長尺スイッチと保護外被とを区分けし、且つ、保護外被に何らの（前記図１１の収納空間８２のような）空間を設ける必要なく、保護外被を変形し易い構造とし、保護外被に対して外方から作用する外力の方向が上方向であるか斜め方向であるかを問わず長尺スイッチの高感度のスイッチ応答性を実現でき、大型構造に適するエッジスイッチが存在しない点である。
【課題を解決するための手段】
【００１３】
本考案のエッジスイッチは、長尺の上部電極、下部電極を上下対向配置し、これらの外周を弾性絶縁材からなる外被で覆った長尺スイッチを、中央部で、全長にわたって支持するとともに、両側に各々長さ方向に沿って係合凹部を設けた長尺の支持体と、前記支持体上で長さ方向に配置した弾性材からなる保護外被であって、外方から作用する外力を長尺スイッチに伝達する長尺の外力受部と、この外力受部の両側下部に設けられ前記各係合凹部に各々移動可能に係合させた補助片とを具備する保護外被と、を有することを最も主要な特徴とする。
【考案の効果】
【００１４】
本考案によれば、以下の効果を奏する。
請求項１、３記載の考案によれば、長尺スイッチを支持体により支持し、支持体上に外力受部である保護外被を長尺スイッチと区分けして設け、その保護外被の両側下部に補助片を設けるか（請求項１）、又は保護外被の両側下部に保護外被の長尺スイッチ側への移動を補助する長尺の補助片を設けた（請求項３）ものであるから、保護外被全体の長尺スイッチ側への変形、移動が容易となり、小さい外力で、長尺スイッチへ効率よく外力を伝達してオン状態とすることができ、これにより、高感度のスイッチ応答性を実現できるエッジスイッチを提供することができる。
【００１５】
請求項２、４記載の考案によれば、上部電極、下部電極を備え、これらを外被で覆った長尺スイッチを、両側に各々長さ方向に沿って係合凹部を設けた長尺の支持体により支持し、支持体上に前記長尺スイッチに臨ませたＶ状梁部を備えるとともに、前記各係合凹部に補助片を有するか（請求項２）、又は前記各係合凹部に各々移動可能に係合させた補助片を有する（請求項４）外力受部である保護外被を備えた構成で、小さい外力でＶ状梁部を殆ど変形させることなく長尺スイッチへ効率よく外力伝達を行い、上部電極を下部電極に接触させてオン状態とすることができ、これにより、高感度のスイッチ応答性を実現できるエッジスイッチを提供することができる。
【００１６】
請求項５記載の考案によれば、上部電極、下部電極を備え、これらを外被で覆った長尺スイッチを、両側に各々長さ方向に沿って、且つ、側方に開口させた係合凹部を設けた長尺の支持体により支持し、この支持体上に前記長尺スイッチに臨ませたＶ状梁部を備えるとともに、前記側方に開口させた各係合凹部に各々側方に係合させた補助片を有する外力受部である保護外被を備えた構成で、請求項４記載の考案と同様、小さい外力でＶ状梁部を殆ど変形させることなく長尺スイッチへ効率よく外力伝達を行い、上部電極を下部電極に接触させてオン状態とすることができ、これにより、高感度のスイッチ応答性を実現できるエッジスイッチを提供することができる。
【００１７】
請求項６記載の考案によれば、上部電極、下部電極を備え、これらを外被で覆った長尺スイッチを、両側に各々長さ方向に沿って、且つ、側方に開口させた係合凹部を設けた長尺の支持体により支持し、この支持体上に前記長尺スイッチに臨ませたＶ状梁部を備えるとともに前記側方に開口させた各係合凹部に各々側方に移動可能に係合させた移動補助片を有する外力受部である保護外被を備えた構成で、請求項４記載の考案と同様、小さい外力でＶ状梁部を殆ど変形させることなく長尺スイッチへ効率よく外力伝達を行い、上部電極を下部電極に接触させてオン状態とすることができ、これにより、高感度のスイッチ応答性を実現できるエッジスイッチを提供することができる。
【００１８】
請求項７記載の考案によれば、上部電極、下部電極を備え、これらを外被で覆った長尺スイッチを、両側に各々長さ方向に沿って、且つ、上方に開口させた係合凹部を設けた長尺の支持体により支持し、支持体上に前記長尺スイッチに臨ませたＶ状梁部を備えるとともに前記上方に開口させた各係合凹部に各々上下方向に移動可能に係合させた移動補助片を有する外力受部である保護外被を備えた構成で、請求項４記載の考案と同様、小さい外力でＶ状梁部を殆ど変形させることなく長尺スイッチへ効率よく外力伝達を行い、上部電極を下部電極に接触させてオン状態とすることができ、これにより、高感度のスイッチ応答性を実現できるエッジスイッチを提供することができる。
【考案を実施するための最良の形態】
【００１９】
本考案は、長尺スイッチと保護外被とを区分けし、且つ、保護外被を変形し易い構造とし、保護外被に対して外方から作用する外力の方向が上方向であるか斜め方向であるかを問わず長尺スイッチの高感度のスイッチ応答性を実現でき、大型構造に適するエッジスイッチを提供するという目的を、長尺の上部電極、下部電極を上下対向配置しこれらの外周を弾性絶縁材からなる外被で覆った長尺スイッチを、全長にわたって、且つ、前記長尺スイッチを上方に露出させた状態で支持するとともに、両側に各々長さ方向に沿って係合凹部を設けた長尺の支持体と、前記支持体上で長さ方向に配置した弾性材からなる保護外被であって、前記長尺の長尺スイッチに外方から作用する外力を伝達し内部に前記長尺スイッチに臨ませたＶ状梁部を備えた長尺の外力受部と、この外力受部の両側下部に設けられ前記各係合凹部に各々移動可能に係合させた前記外力受部の長尺スイッチ側への移動を補助する長尺の移動補助片とを具備する保護外被と、を有する構成により実現した。
【実施例】
【００２０】
以下に、本考案の実施例を図面を参照して詳細に説明する。
（実施例１）
図１、図２は、本実施例１に係るエッジスイッチ１を示すものであり、このエッジスイッチ１は、長尺スイッチ２０を支持する長尺の支持体２と、この支持体２上で長尺スイッチ２０の長さ方向に配置した弾性材からなる保護外被３とを有している。
【００２１】
前記長尺スイッチ２０は、長尺の上部電極４、下部電極５を図示省略するが中間絶縁体を挟んで上下対向配置するとともに、これらの外周を弾性絶縁材からなる外被７で覆うことにより構成している。
【００２２】
前記支持体２は、図２において左右対称形状に形成され、その中央部で、且つ、長さ方向に長尺スイッチ２０全体を水平に支持する長尺スイッチ支持部８を具備している。
この長尺スイッチ支持部８は、長尺スイッチ２０の底辺を載せる平面部９と、長尺スイッチ２０の側面及び上面の一部を囲むように形成した左右一対の側片部１０ａ、１０ｂとを具備し、前記長尺スイッチ２０の上辺を上方に露出させた状態で長尺スイッチ２０を長さ方向に沿って支持するようになっている。なお、前記長尺スイッチ２０の上辺中央部に外力応答突部６を上方に露出させた状態で設けるように構成しても良い。
【００２３】
前記支持体２は、長尺スイッチ支持部８の左右両側辺から水平方向に突設した左右一対の底辺部１１ａ、１１ｂを有し、これら底辺部１１ａ、１１ｂの突出端に各々長さ方向に沿って、且つ、側方に開口させた断面略矩形状の係合凹部１２ａ、１２ｂを設けている。前記係合凹部１２ａ、１２ｂの開口端には上下対向配置に折曲突片１３ａ、１３ｂ及び折曲突片１４ａ、１４ｂを設けている。
【００２４】
前記保護外被３は、前記長尺スイッチ２０の上方から係合凹部１２ａ、１２ｂの外側を左右対称に覆うように例えば略半円筒状（又は矩形状等）に形成され、その外周面を外方から作用する外力Ｆを受ける外力受部とするとともに、その内部には、この保護外被３の内壁から前記外力応答突部６の近傍に至るように突設した外力伝達用の長尺の梁片１５ａ、１５ｂからなるＶ状梁部１５と、このＶ状梁部１５の突出端の両側から前記保護外被３の両側壁に連なる長尺で一対構成の連結片１６ａ、１６ｂとを一体形成している。
【００２５】
また、前記保護外被３は、その両側下部に、前記支持体２における係合凹部１２ａ、１２ｂに各々係合させた左右一対の長尺の突片状の補助片１７ａ、１７ｂを一体に設けている。
【００２６】
前記補助片１７ａ、１７ｂは、図２に示すように、前記係合凹部１２ａ、１２ｂの折曲突片１３ａ、１３ｂ、前記折曲突片１４ａ、１４ｂの間から各々内方に向けて各々側方向に移動可能に嵌装されるとともに、折曲突片１３ａ、１３ｂ、折曲突片１４ａ、１４ｂに各々小間隔をもって対向する上下対称の当接用突部１８ａ、１８ｂ及び当接用突部１９ａ、１９ｂを具備し、これにより、前記補助片１７ａが図３において外側への水平方向に移動したとき、当接用突部１８ａ、１８ｂが前記折曲突片１３ａ、１３ｂに各々当接し、補助片１７ｂが図３において外側への水平方向に移動したとき、当接用突部１９ａ、１９ｂが前記折曲突片１４ａ、１４ｂに各々当接して、これら補助片１７ａ、１７ｂが前記係合凹部１２ａ、１２ｂから各々抜け出ないように構成している。
【００２７】
次に、本実施例１に係るエッジスイッチ１の動作について図３をも参照して説明する。
【００２８】
このエッジスイッチ１において、保護外被３上に例えば物体等が載り、その外周面の一部に外方から外力Ｆが作用した場合、この外力Ｆにより前記Ｖ状梁部１５は前記長尺スイッチ２０の側に移動し、長尺スイッチ２０の上部電極４を撓ませ下部電極５に接触させる。これにより、長尺スイッチ２０は外力Ｆに応答してオン状態となり物体等の検知信号を得ることができる。
【００２９】
すなわち、保護外被３上に外力Ｆが作用して前記Ｖ状梁部１５が長尺スイッチ２０側へ移動することから、図３における前記補助片１７ａ、補助片１７ｂの夫々外側への何らの水平方向移動を必要とすることなく、保護外被３全体の長尺スイッチ２０側への変形、移動が容易となり、小さい外力Ｆで、且つ、前記Ｖ状梁部１５を殆ど変形させることなく長尺スイッチ２０へ効率よく外力伝達を行い、上部電極４を下部電極５に接触させてオン状態とすることができ、これにより、高感度のスイッチ応答性を実現できるとともに、大型構造にも適するエッジスイッチ１を提供できる。
【００３０】
なお、図２、図３に示す実施例の前記補助片１７ａ、補助片１７ｂは、図３において夫々外側への水平方向に移動可能であることから、前記Ｖ状梁部１５の長尺スイッチ２０側への移動に伴って、保護外被３全体が図３において外側へ水平方向に変形したとき、前記補助片１７ａは、係合凹部１２ａ内を図３において外側へ水平方向に当接用突部１８ａ、１８ｂが前記折曲突片１３ａ、１３ｂに各々当接するまで移動する。同様に、前記補助片１７ｂは、係合凹部１２ｂ内を図３において外側へ水平方向に当接用突部１９ａ、１９ｂが前記折曲突片１４ａ、１４ｂに各々当接するまで移動する。
【００３１】
すなわち、前記保護外被３上に外力Ｆが作用して前記Ｖ状梁部１５が長尺スイッチ２０側へ移動する際に、前記補助片１７ａ、１７ｂが各々図３において外側へ水平方向に各々抜け出ない範囲で移動することから、保護外被３全体の長尺スイッチ２０側への変形、移動が容易となり、且つ、前記Ｖ状梁部１５を殆ど変形させることなく長尺スイッチ２０へ効率よく外力伝達を行い、上部電極４を下部電極５に接触させてオン状態とすることができ、これにより、高感度のスイッチ応答性を実現できるとともに、大型構造にも適するエッジスイッチ１を提供できる。
【００３２】
前記外力Ｆによる保護外被３の押圧状態が無くなれば、保護外被３全体が自らの弾力により変形し図２に示す初期位置に戻る。
【００３３】
図３に示す例では、前記外力Ｆが保護外被３の真上から作用する場合を示したが、保護外被３に対して斜め方向から外力Ｆ１が作用した場合も、上述した場合と同様に小さい外力Ｆで、且つ、前記Ｖ状梁部１５を殆ど変形させることなく長尺スイッチ２０へ効率よく外力伝達を行い、上部電極４を下部電極５に接触させてオン状態とすることができ、個の場合においても、エッジスイッチ１における高感度のスイッチ応答性を実現できる。
【００３４】
（実施例２）
次に、図４乃至図６を参照して本考案の実施例２に係るエッジスイッチ２１について説明する。
【００３５】
図４、図５は、本実施例２に係るエッジスイッチ２１を示すものであり、このエッジスイッチ２１は、長尺スイッチ２０を支持する長尺の支持体２２と、この支持体２２上で長尺スイッチ２０の長さ方向に配置した弾性材からなる保護外被２３とを有している。
【００３６】
前記長尺スイッチ２０は、長尺の上部電極４、下部電極５を図示省略するが中間絶縁体を挟んで上下対向配置して、これらの外周を弾性絶縁材の外被７で覆うことにより構成している。
【００３７】
前記支持体２２は、図５において左右対称形状に形成され、その中央部で、且つ、長さ方向に長尺スイッチ２０全体を水平に支持する長尺スイッチ支持部２８を具備している。この長尺スイッチ支持部２８は、長尺スイッチ２０の底辺を載せる平面部２９と、長尺スイッチ２０の側面及び上面の一部を囲むように形成した左右一対の側片部３０ａ、３０ｂとを具備し、前記長尺スイッチ２０を上方に露出させた状態で長尺スイッチ２０を長さ方向に沿って支持するようになっている。
【００３８】
前記支持体２２は、長尺スイッチ支持部８の左右両側辺から水平方向に突設した左右一対の底辺部３１ａ、３１ｂを有し、これら底辺部３１ａ、３１ｂの突出端に各々長さ方向に沿って、且つ、上方に向けて折曲片３２ａ、３２ｂを設けている。
【００３９】
また、前記底辺部３１ａ、３１ｂの突出端の内方位置には、各々前記折曲片３２ａ、３２ｂとの間に隙間３６ａ、３６ｂを有しつつ上方に開口させた断面略Ｕ状の係合凹部３３ａ、３３ｂを設けている。
【００４０】
すなわち、前記底辺部３１ａにおける折曲片３２ａと隙間３６ａを隔てて立設した外側起立片３４ａと、この外側起立片３４ａと所定の間隔をもって底辺部３１ａから立設した内側起立片３４ｂと具備し、更に外側起立片３４ａ、内側起立片３４ｂの各突出端に対向配置に折曲突片３５ａ、３５ｂを設け、これらにより係合凹部３３ａを形成している。
【００４１】
同様に、前記底辺部３１ｂにおける折曲片３２ｂと隙間３６ｂを隔てて立設した外側起立片３４ｃと、この外側起立片３４ｃと所定の間隔をもって底辺部３１ｂから立設した内側起立片３４ｄと具備し、更に外側起立片３４ｃ、内側起立片３４ｄの各突出端に対向配置に折曲突片３５ｃ、３５ｄを設け、これらにより係合凹部３３ｂを形成している。
【００４２】
前記保護外被２３は、前記長尺スイッチ２０の上方から係合凹部３３ａ、３３ｂの外側を左右対称に覆うように例えば略半円筒状（又は矩形状等）に形成され、その外周面を外方から作用する外力Ｆを受ける外力受部とするとともに、その内部には、この保護外被２３の内壁から前記外力応答突部６の近傍に至るように突設した外力伝達用の長尺の梁片３７ａ、３７ｂからなるＶ状梁部３７と、このＶ状梁部３７の突出端の両側から前記保護外被２３の両側壁に連なる長尺で一対構成の連結片３８ａ、３８ｂとを一体形成している。
【００４３】
また、前記保護外被２３は、その両側下部に、前記支持体２２における隙間３６ａ、３６ｂに各々嵌入させた薄厚の嵌入片３９ａ、３９ｂを長さ方向に有するとともに、嵌入片３９ａ、３９ｂの内側には、前記係合凹部３３ａ、３３ｂに、各々矢印ｃ方向に移動可能に嵌装させた左右一対で長尺の突片状の移動補助片４０ａ、４０ｂを各々前記連結片３８ａ、３８ｂと一体に設けている。
【００４４】
前記移動補助片４０ａは、その突出端の外側に当接用突部４１ａ、４１ｂを具備し、また、前記移動補助片４０ｂはその突出端の外側に当接用突部４１ｃ、４１ｄを具備し、これにより、前記移動補助片４０ａ、４０ｂが図５に示す通常位置（長尺スイッチ２０のオフ時）にあるとき、当接用突部４１ａ、４１ｂは前記係合凹部３３ａを形成する折曲突片３５ａ、３５ｂに下側から当接し、当接用突部４１ｃ、４１ｄは前記前記係合凹部３３ｂを形成する折曲突片３５ｃ、３５ｄに下側から当接するようになっている。
なお、図４において、４２はエッジスイッチ２１の両端を覆う絶縁材からなる端部外被である。
【００４５】
次に、本実施例２に係るエッジスイッチ２１の動作について図６をも参照して説明する。
【００４６】
このエッジスイッチ２１において、保護外被２３上に例えば物体等が載り、その外周面の一部に外方から外力Ｆが作用した場合、この外力Ｆにより前記Ｖ状梁部３７は前記長尺スイッチ２０側に移動し、長尺スイッチ２０の上部電極４を撓ませ下部電極５に接触させる。これにより、長尺スイッチ２０は外力Ｆに応答してオン状態となり物体等の高感度の検知信号を得ることができる。
【００４７】
このとき、前記Ｖ状梁部３７の長尺スイッチ２０側への移動に伴って、保護外被２３全体が図６に示すように変形し、前記移動補助片４０ａは係合凹部３３ａ内を矢印ｃ方向に移動し、また、前記移動補助片４０ｂも係合凹部３３ｂ内を矢印ｃ方向に移動する。
【００４８】
すなわち、前記保護外被２３上に外力Ｆが作用して前記Ｖ状梁部３７が長尺スイッチ２０側へ移動する際に、前記移動補助片４０ａ、４０ｂが各々矢印ｃ方向に移動することから、保護外被２３全体の長尺スイッチ２０側への変形、移動が容易となり、小さい外力Ｆで、且つ、前記Ｖ状梁部３７を殆ど変形させることなく長尺スイッチ２０へ効率よく外力伝達を行い、上部電極４を下部電極５に接触させてオン状態とすることができ、これにより、より一層高感度のスイッチ応答性を実現できるとともに、大型構造にも適するエッジスイッチ２１を提供できる。
【００４９】
前記外力Ｆによる保護外被２３の押圧状態が無くなれば、保護外被２３全体が自らの弾力により変形し図５に示す初期位置に戻る。
【００５０】
なお、図６に示す例では、前記外力Ｆが保護外被２３の真上から作用する場合を示したが、保護外被２３に対して斜め方向から外力Ｆ１が作用した場合も、上述した場合と同様に小さい外力Ｆで、且つ、前記Ｖ状梁部３７を殆ど変形させることなく長尺スイッチ２０へ効率よく外力伝達を行い、上部電極４を下部電極５に接触させてオン状態とすることができ、この場合においても、エッジスイッチ２１における高感度のスイッチ応答性を実現できる。
【００５１】
本考案においては、各実施例の前記保護外被の形状を、例えば図７に示すように、ほぼ矩形状の保護外被５０として形成しても良く、当該保護外被の形状をこの他の各種形状として実施しても良い。
【００５２】
更に、本考案においては、各実施例の前記保護外被と支持体との嵌合、装着構造を、例えば図８に示すように、左右いずれか一方の部分にのみ係合凹部１２ａ、折曲突片１４ａ、折曲突片１４ｂ、補助片１７ｂ、当接用突部１９ａ、当接用突部１９ｂを設け、他の一方にはそれらを設けることなく構成して実施しても良い。このような構成の場合、例えば本考案のエッジスイッチを無人車両に簡易に装着可能となる。
【産業上の利用可能性】
【００５３】
本考案は、上述した場合の他、長尺スイッチを使用するバンパースイッチ、マットスイッチ等に幅広く適用可能である。
【図面の簡単な説明】
【００５４】
【図１】本考案の実施例１に係るエッジスイッチの一部省略斜視図である。
【図２】本実施例１に係るエッジスイッチの拡大断面図である。
【図３】本実施例１に係るエッジスイッチのオン状態の拡大断面図である。
【図４】本考案の実施例２に係るエッジスイッチの一部省略斜視図である。
【図５】本実施例２に係るエッジスイッチの拡大断面図である。
【図６】本実施例２に係るエッジスイッチのオン状態の拡大断面図である。
【図７】各実施例に係る保護外被３の変形例を示す説明図である。
【図８】各実施例に係る支持体２と保護外被３の部分の変形例を示す説明図である。
【図９】従来のエッジスイッチの一例を示す断面図である。
【図１０】従来のエッジスイッチの他例を示す断面図である。
【図１１】従来のエッジスイッチの更に別の例を示す断面図である。
【符号の説明】
【００５５】
１    エッジスイッチ
２    支持体
３    保護外被
４    上部電極
５    下部電極
６    外力応答突部
７    外被
８    長尺スイッチ支持部
１１ａ  底辺部
１１ｂ  底辺部
１２ａ  係合凹部
１２ｂ  係合凹部
１３ａ  折曲突片
１３ｂ  折曲突片
１４ａ  折曲突片
１４ｂ  折曲突片
１５    Ｖ状梁部
１５ａ  梁片
１５ｂ  梁片
１６ａ  連結片
１６ｂ  連結片
１７ａ  補助片
１７ｂ  補助片
１８ａ  当接用突部
１８ｂ  当接用突部
１９ａ  当接用突部
１９ｂ  当接用突部
２０    長尺スイッチ
２１    エッジスイッチ
２２    支持体
２３    保護外被
２８    長尺スイッチ支持部
２９    平面部
３０ａ  側片部
３０ｂ  側片部
３１ａ  底辺部
３１ｂ  底辺部
３２ａ  折曲片
３２ｂ  折曲片
３３ａ  係合凹部
３３ｂ  係合凹部
３４ａ  外側起立片
３４ｂ  内側起立片
３４ｃ  外側起立片
３４ｄ  内側起立片
３５ａ  折曲突片
３５ｂ  折曲突片
３５ｃ  折曲突片
３５ｄ  折曲突片
３６ａ  隙間
３６ｂ  隙間
３７    Ｖ状梁部
３７ａ  梁片
３７ｂ  梁片
３８ａ  連結片
３８ｂ  連結片
３９ａ  嵌入片
３９ｂ  嵌入片
４０ａ  移動補助片
４０ｂ  移動補助片
４１ａ  当接用突部
４１ｂ  当接用突部
４１ｃ  当接用突部
４１ｄ  当接用突部
４２    端部外被
Ｆ    外力
【図１】
0003131872.tif 000003
【図２】
0003131872.tif 000004
【図３】
0003131872.tif 000005
【図４】
0003131872.tif 000006
【図５】
0003131872.tif 000007
【図６】
0003131872.tif 000008
【図７】
0003131872.tif 000009
【図８】
0003131872.tif 000010
【図９】
0003131872.tif 000011
【図１０】
0003131872.tif 000012
【図１１】
0003131872.tif 000013